(57)【特許請求の範囲】
【請求項１】
保護材と、カバーとを備え、保護材は、躯体にネジ止めしてあって、躯体開口部に取り付けた開口部建材の外周側に延びる躯体取付片の躯体取付部を前側から覆う被覆部を有しており、カバーは、躯体取付部と保護材とを前側から覆うものであることを特徴とする躯体取付部保護具。
【請求項２】
保護材は、耐火材を備え、耐火材は、火災時に熱によって発泡して躯体取付部を覆うものであることを特徴とする請求項１記載の躯体取付部保護具。
【請求項３】
保護材とカバーが、保護具取付用ネジによって躯体にネジ止めしてあることを特徴とする請求項１又は２記載の躯体取付部保護具。
【請求項４】
枠と、請求項１、２又は３記載の躯体取付部保護具とを備え、枠は、躯体に取り付けてあり、躯体取付部保護具が枠の躯体取付部を前側から覆っていることを特徴とする建材。
【発明の詳細な説明】
【技術分野】
【０００１】
本発明は、開口部建材の躯体取付部の防火対応に関する。
【背景技術】
【０００２】
建築物の開口部にシャッターなどの開口部建材を取り付ける際には、開口部建材の枠を躯体にネジ止めするのが一般的である。この躯体取付部の構造には種々のものがあるが、図９に示すように、アルミの押出形材からなる枠１０８に躯体取付片１８１が形成してあって、この躯体取付片１８１を躯体１０３の前面に当接させ、躯体取付片１８１に形成したネジ孔に枠取付用ネジ１８２を通して躯体１０３にネジ止めするものが多い。
【発明の概要】
【発明が解決しようとする課題】
【０００３】
しかしながら、火災時においてこのような開口部建材の躯体取付部が炎熱にさらされると、枠取付用ネジは鉄製で溶解しないが、アルミ製の躯体取付片が変形したり溶解したりして、躯体から開口部建材が脱落したり、隙間が開いて屋内側に火がまわったりするおそれがあった。
【０００４】
本発明は、上記事情を鑑みたものであり、躯体取付部を炎熱から保護する躯体取付部保護具及びこれを備える建材を提供することを目的とする。
【課題を解決するための手段】
【０００５】
本発明のうち請求項１の発明は、保護材と、カバーとを備え、保護材は、躯体にネジ止めしてあって、躯体開口部に取り付けた開口部建材の外周側に延びる躯体取付片の躯体取付部を前側から覆う被覆部を有しており、カバーは、躯体取付部と保護材とを前側から覆うものであることを特徴とする。なお、躯体取付部とは、開口部建材を躯体にネジ止めしてある部分など、開口部建材において、何らかの手段で躯体に係合している部分のことである。
【０００６】
本発明のうち請求項２の発明は、保護材は、耐火材を備え、耐火材は、火災時に熱によって発泡して躯体取付部を覆うものであることを特徴とする。
【０００７】
本発明のうち請求項３の発明は、保護材とカバーが、保護具取付用ネジによって躯体にネジ止めしてあることを特徴とする。なお、保護具取付用ネジとは、枠を躯体に取り付けるためのネジなどとは別の、保護具を取り付けるための専用のネジである。
【０００８】
本発明のうち請求項４の発明は、枠と、請求項１、２又は３記載の躯体取付部保護具とを備え、枠は、躯体に取り付けてあり、躯体取付部保護具が枠の躯体取付部を前側から覆っていることを特徴とする。
【発明の効果】
【０００９】
本発明のうち請求項１の発明によれば、保護材の被覆部が開口部建材の躯体取付部を覆っているので、火災時において躯体取付部を炎熱から保護して、躯体から開口部建材が脱落したり、隙間が開いて屋内側に火がまわったりすることを防ぐ。
【００１０】
本発明のうち請求項２の発明によれば、火災時において耐火材が発泡して躯体取付部を覆うので、躯体取付部を炎熱からより確実に保護することができる。
【００１１】
本発明のうち請求項３の発明によれば、保護材を専用のネジによって取り付けるので、保護材の被覆部を、躯体取付部の前側に離隔して位置させることができる。そして被覆部に、躯体取付部に前側から対向して耐火材を取り付けることができるので、火災時にはより確実に耐火材が躯体取付部を覆って炎熱から保護する。また、専用のネジによって取り付けるので、既設の開口部建材に後付けすることも容易である。
【００１２】
本発明のうち請求項４の発明によれば、上記のような特徴を有する躯体取付部保護具を備えることにより、火災時において躯体から脱落したり、隙間が開いて屋内側に火がまわったりすることを防いだ建材を提供できる。
【図面の簡単な説明】
【００１３】
【図１】躯体取付部保護具の第一実施形態の説明図である（開口部建材の上枠に取り付ける場合）。
【図２】躯体取付部保護具の第一実施形態の説明図である（開口部建材の下枠に取り付ける場合）。
【図３】躯体取付部保護具の第一実施形態の説明図である（開口部建材の竪枠に取り付ける場合）。
【図４】開口部建材の縦断面図である。
【図５】開口部建材の横断面図である。
【図６】開口部建材の屋外側正面図である。
【図７】躯体取付部保護具の第二実施形態の説明図である。
【図８】躯体取付部保護具の第三実施形態の説明図である。
【図９】従来の開口部建材の躯体取付部の説明図である。
【発明を実施するための形態】
【００１４】
以下、本発明の実施の形態を図面に基づいて説明する。なお、以下において、左右とは図５における左右を示し、前側は屋外側、後側は屋内側（躯体側）を示す。本発明における開口部建材には、戸や窓など種々のものが含まれるが、ここではシャッターの場合を示す。このシャッターは、図４〜図６に示すように、躯体開口部３１の周囲の躯体３に、アルミの押出形材からなる枠８（上枠８ａ、下枠８ｂ及び左右の竪枠８ｃ）をネジ止めしてあり、上枠８ａには箱形のケース８ｄを取り付けてあって、ケース８ｄの中にシャッタースラット１０の巻取装置２０を収めてある。そして、竪枠８ｃの前側にはガイド枠３０をネジ止めしてある。シャッタースラット１０は、ガイド枠３０によって上下動自在にガイドされており、巻取装置２０によって巻き取ると上昇し、繰り出すと下降する。そしてシャッタースラット１０を閉鎖すると、その下端は下枠８ｂに当接する。そして、それぞれの枠８の躯体取付部５に、躯体取付部保護具９を取り付けてある。
【００１５】
次に、躯体取付部５と、躯体取付部保護具９の第一実施形態について詳述する。図１〜図３に示すように、上枠８ａ、下枠８ｂ及び竪枠８ｃに取り付けた躯体取付部保護具９は、何れも略同じ形状であり、合わせて説明する。まず、何れの枠８も、後側端部に、開口部建材４の外周側に延びる躯体取付片８１を有している。そして、この躯体取付片８１を躯体３の前面に当接させ、躯体取付片８１に形成したネジ孔に枠取付用ネジ８２を通して躯体３にネジ止めしてある。よって、躯体取付片８１のうち、このネジ止め部分が躯体取付部５となり、躯体取付部保護具９は枠取付用ネジ８２の近傍部分を保護する形になる。
【００１６】
躯体取付部保護具９は、保護材１と、カバー２からなる。保護材１は、鋼板を折り曲げて形成したもので、躯体３に当接する基部１２と、基部１２の内周側端から前側に延びる立設部１３と、立設部１３の前側端から内周側に延びる被覆部１１からなる。保護材１は、枠８の外周側に位置していて、基部１２に形成したネジ孔に保護具取付用ネジ７を通して躯体３にネジ止めしてある。このように取り付けると、被覆部１１は躯体取付部５の前側に離隔して位置し、躯体取付部５を前側から覆う。そして、カバー２は、樹脂からなるもので、前側に開口する凹部２１と、凹部２１の内周側の開口縁部から内周側に延びる内周側片２２と、外周側の開口縁部から外周側に延びる外周側片２３とを有し、さらに別体の蓋部２４を有する。カバー２は、凹部２１の底面を保護材１の基部１２の前側面に当接させ、保護具取付用ネジ７によって保護材１と合わせて躯体３にネジ止めしてある。このように取り付けると、カバー２の内周側片２２が保護材１の被覆部１１の前側に位置し、カバー２が、躯体取付部５と保護材１とを前側から覆う。また、保護具取付用ネジ７の頭部はカバー２の凹部２１の内側に収まり、凹部２１に蓋部２４を被せて保護具取付用ネジ７を前側から覆っている。
【００１７】
そして、被覆部１１の後側面及び立設部１３の内周側面には、耐火材６を取り付けてある。耐火材６はエポキシ系の素材からなるもので、火災時に熱により発泡して厚さ方向（取付面に対して垂直方向）に膨張するものである。火災時には、この耐火材６が発泡して躯体取付部５を覆う。
【００１８】
このように構成した躯体取付部保護具によれば、保護材の被覆部が開口部建材の躯体取付部を覆っており、さらに保護材には耐火材を取り付けてあるので、火災時において耐火材が発泡して躯体取付部を覆い、躯体取付部を炎熱から確実に保護して、躯体から開口部建材が脱落したり、隙間が開いて屋内側に火がまわったりすることを防ぐ。また、枠を取り付ける枠取付用ネジとは別の保護具取付用ネジによって取り付けることで、保護材の被覆部を、躯体取付部の前側に離隔して位置させてある。これにより、被覆部に、躯体取付部に前側から対向して耐火材を取り付けることができるので、火災時にはより確実に耐火材が躯体取付部を覆って炎熱から保護する。さらに、この躯体取付部保護具は、枠取付用ネジとは別の保護具取付用ネジによって取り付けるので、既設の開口部建材に後付けすることも容易である。
【００１９】
そして、図４〜図６に示すように、本発明の建材は、躯体開口部３１に取り付けるものであって、枠８と、上記の躯体取付部保護具９と備え、枠８は枠取付用ネジ８２によって躯体３にネジ止めしてあり、躯体取付部保護具９が躯体取付部５を前側から覆っている。これにより、火災時において躯体から脱落したり、隙間が開いて屋内側に火がまわったりすることを防いだ建材を提供できる。
【００２０】
次に、躯体取付部保護具９ａの第二実施形態について、図７に基づき説明する。第二実施形態は、第一実施形態と比較して、保護材及びカバーの形状が異なっている。カバー２ａは、凹部２１ａと蓋部２４ａからなり、第一実施形態のような内周側片や外周側片は有しておらず、カバー２ａの底面が枠８の躯体取付片８１に当接している。そして保護材１ａは、カバー２ａの凹部２１ａの内側に収まっており、凹部２１ａの底面に当接する被覆部１１ａと、被覆部１１ａの内周側端及び外周側端から前側に延びる立設部１３ａからなる。保護材１ａとカバー２ａとは、枠取付用ネジ８２によって枠８と合わせて躯体３にネジ止めしてある。なお、この場合でも、被覆部１１ａは、躯体取付部５（躯体取付片８１の、枠取付用ネジ８２の近傍部分）を前側から覆っている。さらに、カバー２ａの凹部２１ａに蓋部２４ａを被せて枠取付用ネジ８２の頭部及び保護材１ａを前側から覆っている。そして、保護材１ａの立設部１３ａには、耐火材６を取り付けてある。耐火材６は、内周側の立設部１３ａの外周側面と、外周側の立設部１３ａの内周側面に取り付けてあり、火災時に発泡して躯体取付部５を覆う。この第二実施形態でも、保護材の被覆部が開口部建材の躯体取付部を覆っており、さらに保護材には耐火材を取り付けてあるので、火災時において耐火材が発泡して躯体取付部を覆い、躯体取付部を炎熱から確実に保護して、躯体から開口部建材が脱落したり、隙間が開いて屋内側に火がまわったりすることを防ぐ。
【００２１】
次に、躯体取付部保護具９ｂの第三実施形態について、図８に基づき説明する。第三実施形態は、第一実施形態と比較して、保護材の形状が異なっている。保護材１ｂは、躯体３に当接する基部１２ｂと、基部１２ｂの内周側端から前側に延びる立設部１３ｂと、立設部１３ｂの前側端から内周側に延びる被覆部１１ｂと、被覆部１１ｂの内周側端から後側に延びる折返部１４ｂからなる。保護材１ｂは、枠８の外周側に位置していて、基部１２ｂに形成したネジ孔に保護具取付用ネジ７を通して躯体３にネジ止めしてある。そして、第一実施形態と異なり、耐火材は有していない。このように取り付けると、被覆部１１ｂは躯体取付部５の前側に離隔して位置し、躯体取付部５を前側から覆い、さらに折返部１４ｂが躯体取付片８１の直前まで延びていて、立設部１３ｂと、被覆部１１ｂと、折返部１４ｂとで躯体取付部５を取り囲んでいる。また、カバー２ｂは、第一実施形態と同様の形状であり、保護具取付用ネジ７によって保護材１ｂと合わせて躯体３にネジ止めしてあって、躯体取付部５と保護材１ｂとを前側から覆っている。この第三実施形態は、耐火材を有していないが、立設部と、被覆部と、折返部とで開口部建材の躯体取付部を取り囲んでいるので、火災時において躯体取付部を炎熱から保護して、躯体から開口部建材が脱落したり、隙間が開いて屋内側に火がまわったりすることを防ぐ。
【００２２】
本発明は、上記の実施形態に限定されない。たとえば、保護材は、躯体取付部を前側から覆う被覆部を有するものであれば、どのような形状であってもよいし、耐火材は、発泡して躯体取付部を覆うようになっていれば、保護材のどの場所に取り付けてもよい。また、カバーも、躯体取付部と保護材とを前側から覆うものであれば、どのような形状であってもよい。なお、開口部建材はシャッターに限られず、戸や窓などであってもよい。
【符号の説明】
【００２３】
１  保護材
２  カバー
３  躯体
４  開口部建材
５  躯体取付部
６  耐火材
７  保護具取付用ネジ
８  枠
９  躯体取付部保護具
１１  被覆部
３１  躯体開口部
【図１】
0005703182.tif 000002
【図２】
0005703182.tif 000003
【図３】
0005703182.tif 000004
【図４】
0005703182.tif 000005
【図５】
0005703182.tif 000006
【図６】
0005703182.tif 000007
【図７】
0005703182.tif 000008
【図８】
0005703182.tif 000009
【図９】
0005703182.tif 000010